(57)【要約】【課題】シングルレバー水栓において太陽熱温水器の湯や給湯器の湯や水道管の水を利用する際に操作レバーの回動操作範囲を狭めて回動操作を行い易くする。【解決手段】弁機構２と、その弁機構２を動作させるために上下及び左右方向に操作される操作レバーとを備えている。弁機構２には、吐出孔２４とその吐出孔２４の周りに配置された通湯孔２１，２２及び通水孔２３を有する固定弁体１１と、操作レバーの操作に伴い固定弁体１１上を摺動して固定弁体１１の通湯孔２１，２２及び通水孔２３を吐出孔２４に対して開口度の変更可能に連通させる連通孔２９を有する可動弁体１２とを設けている。固定弁体１１の通湯孔２１，２２を複数設けるとともに、操作レバーの左右方向の操作範囲が正面側となるように固定弁体１１の通湯孔２１，２２及び通水孔２３を一方側に片寄らせて配置している。【選択図】図３
2014163414.tif 000002
【特許請求の範囲】
【請求項１】
弁機構と、その弁機構を動作させるために上下及び左右方向に操作される操作レバーとを備え、その弁機構には、吐出孔とその吐出孔の周りに配置された通湯孔及び通水孔を有する固定弁体と、操作レバーの操作に伴い固定弁体上を摺動して固定弁体の通湯孔及び通水孔を吐出孔に対して開口度の変更可能に連通させる連通孔を有する可動弁体とを設けたシングルレバー水栓において、
前記固定弁体の通湯孔を複数設けるとともに、操作レバーの左右方向の操作範囲が正面側となるように前記固定弁体の通湯孔及び通水孔を一方側に片寄らせて配置したシングルレバー水栓。
【請求項２】
前記通水孔は、弁機構の軸線に対する周方向に沿って並設した孔群の端部に配設されている請求項１に記載のシングルレバー水栓。
【請求項３】
前記複数の通湯孔のうちボイラからの湯が通る通湯孔は、前記通水孔とは反対側で前記孔群の端部に配設されている請求項２に記載のシングルレバー水栓。
【請求項４】
前記複数の通湯孔のうち太陽熱温水器からの湯が通る通湯孔は、前記孔群の両端部のうち一方に配設された通水孔と他方に配設された通湯孔との間に配設されている請求項３に記載のシングルレバー水栓。
【請求項５】
前記操作レバーの回動操作範囲は、正面側において１８０度以下１１０度以上の範囲内に設定されていることを特徴とする請求項１〜４のうちいずれか一つの請求項に記載のシングルレバー水栓。
【発明の詳細な説明】
【技術分野】
【０００１】
本発明は、洗面所やバスルームなどで使用され、一つの操作レバーにより、吐水や止水、湯と水との混合比及び吐水量の調整などを行うことができるシングルレバー水栓に関するものである。
【背景技術】
【０００２】
下記の特許文献１に記載されたシングルレバー水栓としての「太陽熱温水器とボイラによる給湯回路用操作バルブ」において、固定板を有する本体の中央には混合水用通孔が設けられ、その混合水用通孔の外周には、太陽熱温水器に接続された第１の湯用通孔と、ボイラに接続された第２の湯用通孔と、水源としての水道管に接続された水用通孔とが１２０度間隔で配設され、可動板には混合流路が形成されている。そして、一つの操作ハンドルにより可動板を回動操作すると、混合流路を介して混合水用通孔と第１の湯用通孔、第２の湯用通孔及び水用通孔との位置関係が変化して、太陽熱温水器からの湯、ボイラからの湯及び水の三者の吐水や止水、混合比及び吐水量の調整を行うことができる。
【先行技術文献】
【特許文献】
【０００３】
【特許文献１】実公昭６１−３６８４４号公報
【発明の概要】
【発明が解決しようとする課題】
【０００４】
しかし、特許文献１の構成においては、第１の湯用通孔、第２の湯用通孔及び水用通孔が１２０度間隔で配置され、操作ハンドルをこの配置に合わせてそれぞれ１２０度ずつ回動操作する必要があるため、結果として、操作ハンドルの回動操作範囲が３６０度となる。従って、操作ハンドルの周囲にはその回動操作を許容する３６０度の範囲の広いスペースが必要となり、操作ハンドルの周りのスペースが狭い場合には操作ハンドルの回動操作を行い得なかったり、行いにくくなったりしていた。
【０００５】
この発明は、操作ハンドルの周囲に広いスペースを必要としないシングルレバー水栓を提供することを目的としている。
【課題を解決するための手段】
【０００６】
上記の目的を達成するために、本発明のシングルレバー水栓は、弁機構と、その弁機構を動作させるために上下及び左右方向に操作される操作レバーとを備え、その弁機構には、吐出孔とその吐出孔の周りに配置された通湯孔及び通水孔を有する固定弁体と、操作レバーの操作に伴い固定弁体上を摺動して固定弁体の通湯孔及び通水孔を吐出孔に対して開口度の変更可能に連通させる連通孔を有する可動弁体とを設けたシングルレバー水栓において、前記固定弁体の通湯孔を複数設けるとともに、操作レバーの左右方向の操作範囲が正面側となるように前記固定弁体の通湯孔及び通水孔を一方側に片寄らせて配置したことを特徴としている。
【０００７】
このシングルレバー水栓においては、通湯孔が複数であっても、操作レバーを弁機構の正面側で操作できるため、操作し易いだけではなく、水栓の背面側に操作レバーを操作するためのスペースを設ける必要がなく、スペースの有効利用を図ることができる。
【発明の効果】
【０００８】
この発明によれば、操作レバーの回動操作が行い易く、しかも、水栓の配置スペースの制約を少なくできるという効果を発揮する。
【図面の簡単な説明】
【０００９】
【図１】シングルレバー水栓を示す部分縦断面図。
【図２】シングルレバー水栓を示す部分分解斜視図。
【図３】シングルレバー水栓の弁機構を示す部分分解斜視図。
【図４】シングルレバー水栓を示す平面図。
【図５】太陽熱温水器用通湯孔の単独使用時の停止状態又は吐出状態を示す説明図。
【図６】給湯器用通湯孔の単独使用時の停止状態又は吐出状態を示す説明図。
【図７】水道管用通水孔の単独使用時の停止状態又は吐出状態を示す説明図。
【図８】太陽熱温水器用通湯孔と給湯器用通湯孔との混合使用時における停止状態又は吐出状態を示す説明図。
【図９】太陽熱温水器用通湯孔と水道管用通水孔との混合使用時における停止状態又は吐出状態を示す説明図。
【発明を実施するための形態】
【００１０】
以下、シングルレバー水栓の実施の形態について図面を参照して説明する。
図１に示すように、水栓本体１上には図２に示す湯水混合用の弁機構２が取り付けられている。その弁機構２の上部には吐水や止水を行うとともに、湯と水との混合比及び吐水量を調整するために上下方向及び左右方向に操作される一つの操作レバー３が配設されている。操作レバー３の左右方向の回動操作範囲θは、図４に示すように、図示しないストッパ機構により、正面を中心として片側８５度ずつ全体で１７０度に規制されている。
【００１１】
図２に示すように、水栓本体１においては、吐出口７が形成され、その吐出口７の周りには図示しない太陽熱温水器に接続された第１の給湯口４と、図示しないボイラまたは貯湯器よりなる給湯器に接続された第２の給湯口５と、図示しない給水源である水道管に接続された給水口６とが、吐出口７を中心とする周方向に沿って並設されている。この第１の給湯口４、第２の給湯口５、給水口６及び吐出口７は弁機構２側へ開放されている。また、太陽熱温水器用の第１の給湯口４は第２の給湯口５と給水口６との間に配置されている。水栓本体１にはこの吐出口７と連通するとともに水栓本体１の正面側で斜め上方へ延びる吐出管８が操作レバー３の下方で水栓本体１の軸線を中心に回動可能に支持されている。
【００１２】
次に、前記弁機構２について詳述する。
図１〜３に示すように、弁機構２は、収容ケース９、パッキン１０、固定弁体１１、可動弁体１２、蓋板１３、支持体１４、前記操作レバー３の腕１５及びカバー１６を備えている。
【００１３】
図１〜３に示すように、前記収容ケース９の底部には前記第１の給湯口４、第２の給湯口５、給水口６及び吐出口７にそれぞれ連通する第１の通湯孔４ａ、第２の通湯孔５ａ、通水孔６ａ及び吐出孔７ａが形成されている。収容ケース９の各孔４ａ，５ａ，６ａ，７ａの周囲の溝にはパッキン１０が嵌入されている。パッキン１０には各孔４ａ，５ａ，６ａ，７ａとそれぞれ連通する開口１７〜２０が形成されている。
【００１４】
図３に示すように、収容ケース９内にはセラミック製の固定弁体１１が嵌入固定されてパッキン１０上に重ねられている。固定弁体１１には前記開口１７〜２０を介して前記収容ケース９の第１の通湯孔４ａ、第２の通湯孔５ａ、通水孔６ａ及び吐出孔７ａとそれぞれ連通する第１の通湯孔２１、第２の通湯孔２２、通水孔２３及び吐出孔２４が形成されている。吐出孔２４は固定弁体１１の略中央で軸線位置付近に配置され、その吐出孔２４の周囲において、第１の通湯孔２１は固定弁体１１の正面中央部に、第２の通湯孔２２及び通水孔２３は固定弁体１１の正面側における左右両側にそれぞれ配置されている。
【００１５】
そして、前記収容ケース９の第１の通湯孔４ａ及び固定弁体１１の第１の通湯孔２１は、通路２５として互いに連通され、水栓本体１の第１の給湯口４を介して太陽熱温水器に接続されている。前記収容ケース９の第２の通湯孔５ａ及び固定弁体１１の第２の通湯孔２２は、通路２６として互いに連通され、水栓本体１の給湯口５を介して給湯器に接続されている。前記収容ケース９の通水孔６ａ及び固定弁体１１の通水孔２３は、通路２７として互いに連通され、水栓本体１の給水口６を介して水道管に接続されている。従って、各通路２５，２６，２７は弁機構２の正面側に片寄らせて配設されるとともに、周方向の両端に配設された通路２６，２７間に一つの通路２５が配設されている。また、前記収容ケース９の吐出孔７ａ及び固定弁体１１の吐出孔２４等は、通路２８として互いに連通され、弁機構２の背面側寄りの中央部に配設されている。
【００１６】
図３に示すように、収容ケース９内において固定弁体１１上にはセラミック製の可動弁体１２が重ねられている。可動弁体１２は、固定弁体１１の第１の通湯孔２１、第２の通湯孔２２、通水孔２３及び吐出孔２４に対して連通する連通孔２９を有し、操作レバー３の操作に伴い固定弁体１１上を摺動して第１の通湯孔２１、第２の通湯孔２２、通水孔２３及び吐出孔２４に対する連通孔２９の開口度を変更し得る。連通孔２９には整流網２９ａが嵌め込まれている。蓋板１３は可動弁体１２上に固定されて連通孔２９の上部を塞いでいる。
【００１７】
図１及び図３に示すように、支持体１４は後述のカバー１６内において水平面内で回転可能に設けられ、蓋板１３上に位置している。支持体１４には操作レバー３の腕１５が支軸３０により回動可能に支持されている。腕１５の下端部は蓋板１３の上面の凹部３２内に係合し、腕１５の支軸３０を中心とした回動にともなって、蓋板１３及び可動弁体１２が一体に移動される。図２及び図３に示すように、カバー１６は前記支持体１４，蓋板１３等を覆った状態で、収容ケース９に固定されている。
【００１８】
図１〜３に示すように、水栓本体１上には弁機構２の外周を覆う外筒３３が螺合されて固定されている。操作レバー３は、前記腕１５の上端に固定され、水栓本体１の正面側に突出している。そして、操作レバー３を水平面内で左右方向へ回動することにより、腕１５と支持体１４と蓋板１３とを介して可動弁体１２が固定弁体１１上で水平面内を回動する。操作レバー３を上下に回動することにより、腕１５が支軸３０を中心に回動されて、可動弁体１２が直線的に移動する。
【００１９】
次に、シングルレバー水栓の作用について説明する。なお、図５〜９では、理解を容易にするために可動弁体１２にハッチングを施して固定弁体１１と区別し易くした。
操作レバー３を図１に示す最下の回動操作位置Ｑ１に設定した回動操作状態では、図４に示すいずれの回動操作位置Ｐ１〜Ｐ５でも、図５（ａ）、図６（ａ）、図７（ａ）、図８（ａ）及び図９（ａ）に示すように、可動弁体１２の連通孔２９が固定弁体１１の吐出孔２４にのみ連通する止水状態にある。
【００２０】
操作レバー３を図４に示すように略中央の回動操作位置Ｐ１に操作して図１に示すように最上の回動操作位置Ｑ２に向って操作した回動操作状態では、図５（ｂ）に示すように、可動弁体１２の連通孔２９が固定弁体１１の第１の通湯孔２１及び吐出孔２４に対し操作レバー３の操作量に応じた度合で連通し、太陽熱温水器のみからの湯が図２，３に示す通路２５（前記第１の給湯口４、第１の通湯孔２１等）を通って連通孔２９から吐出孔２４に供給され、図２，３に示す通路２８（前記吐出口７、吐出孔２４等）から前記操作量に応じた水量で吐出される。
【００２１】
操作レバー３を図４に示すように左側へ略８５度回動させた回動操作位置Ｐ２に操作して図１に示すように最上の回動操作位置Ｑ２に向って操作した回動操作状態では、図６（ｂ）に示すように、可動弁体１２の連通孔２９が固定弁体１１の第２の通湯孔２２及び吐出孔２４に対し操作量に応じた度合で連通し、給湯器のみからの湯が図２，３に示す通路２６（前記第２の給湯口５、第２の通湯孔２２等）を通って連通孔２９から吐出孔２４に供給され、図２，３に示す通路２８（前記吐出口７、吐出孔２４等）から前記操作量に応じた水量で吐出される。
【００２２】
操作レバー３を図４に示すように右側へ略８５度回動させた回動操作位置Ｐ３に操作して図１に示すように最上の回動操作位置Ｑ２に向って操作した回動操作状態では、図７（ｂ）に示すように、可動弁体１２の連通孔２９が固定弁体１１の通水孔２３及び吐出孔２４に対し操作量に応じた度合で連通し、水道管のみから水が図２，３に示す通路２７（前記給水口６、通水孔２３等）を通って連通孔２９から吐出孔２４に供給され、図２，３に示す通路２８（前記吐出口７、吐出孔２４等）から操作量に応じた水量で吐出される。
【００２３】
操作レバー３を図４に示すように、前記回動操作位置Ｐ１，Ｐ２間の位置、例えば左斜めへ４５度回動させた回動操作位置Ｐ４に操作して図１に示すように最上の回動操作位置Ｑ２に向って操作した回動操作状態では、図８（ｂ）に示すように、可動弁体１２の連通孔２９が固定弁体１１の第１，第２の通湯孔２１，２２及び吐出孔２４に対し左右方向及び上下方向への操作量に応じた度合で連通し、太陽熱温水器からの湯が図２，３に示す通路２５（前記第１の給湯口４、第１の通湯孔２１等）を通って連通孔２９から吐出孔２４に供給されるとともに、給湯器からの湯が図２，３に示す通路２６（前記第２の給湯口５、第２の通湯孔２２等）を通って連通孔２９から吐出孔２４に供給され、それらの混合湯として図２，３に示す通路２８（前記吐出口７、吐出孔２４等）から操作量に応じた温度及び水量で吐出される。
【００２４】
操作レバー３を図４に示すように、前記回動操作位置Ｐ１，Ｐ３間の位置、例えば右斜めへ例えば４５度回動させた回動操作位置Ｐ５に操作して図１に示すように最上の回動操作位置Ｑ２に向って操作した回動操作状態では、図９（ｂ）に示すように、可動弁体１２の連通孔２９が固定弁体１１の第１の通湯孔２１、通水孔２３及び吐出孔２４に対し左右方向及び上下方向への操作量に応じた度合で連通し、太陽熱温水器からの湯が図２，３に示す通路２５（前記第１の給湯口４、第１の通湯孔２１等）を通って連通孔２９から吐出孔２４に供給されるとともに、水道管から水が図２，３に示す通路２７（前記給水口６、通水孔２３等）を通って連通孔２９から吐出孔２４に供給され、湯と水との混合水として図２，３に示す通路２８（前記吐出口７、吐出孔２４等）から操作量に応じた温度及び水量で吐出される。
【００２５】
本実施形態は以下の効果を得ることができる。
（１）  シングルレバー水栓においては、操作レバー３を弁機構２の正面側で弁機構２の軸線に対する周方向へ１７０度の回動操作範囲θ内で回動操作すればよいので、つまり、太陽熱温水器の湯や給湯器の湯あるいは水道管の水をそのまま利用したり、混合させて利用したりする際、操作レバー３の回動操作範囲θが操作し易い範囲内にあるため、使い勝手を良くすることができる。
【００２６】
（２）  操作レバー３の回動操作範囲θが正面を中心として片側８５度であるため、水栓が壁際に設置されても、操作ハンドルの回動操作を行い得なかったり、行いにくくなったりするという支障が出ることはない。言い換えれば、水栓を壁際に設置できて、バスルーム等の狭いスペースを有効に利用できる。
【００２７】
（３）  給湯器からの湯や、混合湯を吐出させる場合は、操作レバー３を回動操作範囲θの端部あるいはその近辺まで回す必要があるため、誤操作しにくい。従って、ボイラ等で沸かした湯を無駄に使用することを回避できて省エネルギーに貢献できる。
【００２８】
前記実施形態は以下のように変更することができる。
・  操作レバー３の回動操作範囲θを１８０度以下１１０度以上の範囲内で１７０度以外の角度にしてもよい。
【００２９】
・  固定弁体１１の第１，第２の通湯孔２１，２２及び通水孔２３として、合計で４以上の数の孔を周方向に沿って並設してもよい。
・  前記実施形態は、太陽熱温水器からの湯が通る通路２６を通路２５〜２７の中央に配置したが、給湯器からの湯が通る通路２６を中央に配置したり、水が通る通路２７を中央に配置したりしてもよい。給湯器からの湯が通る通路２６を中央に配置した場合は、給湯器からの湯と太陽熱温水器からの湯及び水とを混合でき、水が通る通路２７を中央に配置した場合は、水と給湯器からの湯及び太陽熱温水器からの湯とを混合できる。
【符号の説明】
【００３０】
２…弁機構、３…操作レバー、１１…固定弁体、１２…可動弁体、２１，２２…固定弁体の通湯孔、２３…固定弁体の通水孔、２４…固定弁体の吐出孔、２９…可動弁体の連通孔、θ…回動操作範囲。
【図１】
2014163414.tif 000003
【図２】
2014163414.tif 000004
【図３】
2014163414.tif 000005
【図４】
2014163414.tif 000006
【図５】
2014163414.tif 000007
【図６】
2014163414.tif 000008
【図７】
2014163414.tif 000009
【図８】
2014163414.tif 000010
【図９】
2014163414.tif 000011